(57)【要約】  本開示は、パイロットパターン動的確定方法および装置を提供する。当該方法は、データの伝送に占用されるＴＴＩの長さを取得することを含む。当該方法は、データの伝送に占用されるＴＴＩの長さに基づいてパイロットパターンを確定することをさらに含む。【選択図】  図５
2019506082.tif 000002
【特許請求の範囲】
【請求項１】
パイロットパターン動的確定方法において、
データの伝送に占用されるＴＴＩ（Ｔｒａｎｓｍｉｓｓｉｏｎ  Ｔｉｍｅ  Ｉｎｔｅｒｖａｌ）の長さを取得することと、
前記データの伝送に占用されるＴＴＩの長さに基づいてパイロットパターンを確定することとを含むパイロットパターン動的確定方法。
【請求項２】
前記パイロットパターンに基づいて信号を送信すること、または、前記パイロットパターンに基づいて信号を受信することをさらに含む請求項１に記載の方法。
【請求項３】
前記データは、上りリンクサービス情報および／または上りリンク制御情報を含む上りリンクデータと、下りリンクサービス情報および／または下りリンク制御情報を含む下りリンクデータのうちの１つまたは複数を含む請求項１に記載の方法。
【請求項４】
前記データの伝送に占用されるＴＴＩの長さに基づいてパイロットパターンを確定することは、
前記ＴＴＩの長さがＡ（１以上の正整数）個のシンボルより大きい場合、前記ＴＴＩの一部のシンボルに、パイロットを含むと確定し、または、パイロットを含まないと確定することを含む請求項１に記載の方法。
【請求項５】
前記の前記ＴＴＩの一部のシンボルに、パイロットを含むと確定し、またはパイロットを含まないと確定することは、
予め設定されたルールにしたがって、前記ＴＴＩの一部のシンボルに、パイロットを含むと確定し、またはパイロットを含まないと確定し、
および／または、
受信したシグナリング通知にしたがって、前記ＴＴＩの一部のシンボルに、パイロットを含むと確定し、またはパイロットを含まないと確定することを含む請求項４に記載の方法。
【請求項６】
前記予め設定されたルールおよび／またはシグナリング通知に基づいて、前記ＴＴＩに含まれるシンボルのうち、Ｋ（Ｋ≦Ｍ（Ｍ：前記ＴＴＩに含まれるシンボルの個数））個のシンボルにパイロットを含み、残りのシンボルにパイロットを含まないと確定する請求項５に記載の方法。
【請求項７】
パイロットを含む前記Ｋ個のシンボルは、前記ＴＴＩに含まれるシンボルのうち等間隔で分布するＫ個のシンボルであり、または、前記ＴＴＩに含まれるシンボルのうち中心対称に分布するＫ個のシンボルである請求項６に記載の方法。
【請求項８】
前記Ｋは、
【数１】
2019506082.tif 000045
（Ｐ：予め設定または配置される２以上の正整数；Ｒ：予め設定または配置される０より大きくかつ１より小さい小数値またはパーセンテージ）である請求項６に記載の方法。
【請求項９】
前記予め設定されるルールおよび／またはシグナリング通知に基づいて、パイロットを含むシンボルの、前記ＴＴＩに含まれるシンボルでの位置を確定する請求項５に記載の方法。
【請求項１０】
Ｋ＝１の場合、パイロットを含むシンボルは、前記ＴＴＩに含まれるシンボルのうち最初のシンボル、または最後のシンボル、または中心シンボル、または、
【数２】
2019506082.tif 000046
であり、
および／または、
Ｋ＝２の場合、パイロットを含むシンボルは、前記ＴＴＩに含まれるシンボルのうち最初のシンボルと最後のシンボルであり、または前記ＴＴＩに含まれるシンボルのうち中心対称の２つのシンボルである請求項９に記載の方法。
【請求項１１】
パイロットを含むシンボルは、前記ＴＴＩに含まれるシンボルのうち
【数３】
2019506082.tif 000047
である請求項９に記載の方法。
【請求項１２】
前記Ｋが奇数であり、前記Ｍが奇数である場合、パイロットを含むシンボルは、前記ＴＴＩに含まれるシンボルのうち
【数４】
2019506082.tif 000048
であり、
および／または、
前記Ｋが偶数であり、前記Ｍが偶数である場合、前記パイロットを含むシンボルは、前記ＴＴＩに含まれるシンボルのうち
【数５】
2019506082.tif 000049
であり、
および／または、
前記Ｋが偶数であり、前記Ｍが奇数である場合、前記パイロットを含むシンボルは、前記ＴＴＩに含まれるシンボルのうち
【数６】
2019506082.tif 000050
である請求項９に記載の方法。
【請求項１３】
前記Ｋが偶数である場合、前記パイロットを含むシンボルは、前記ＴＴＩに含まれるシンボルのうち
【数７】
2019506082.tif 000051
である請求項９に記載の方法。
【請求項１４】
パイロットパターン動的確定装置において、
データの伝送に占用されるＴＴＩ（Ｔｒａｎｓｍｉｓｓｉｏｎ  Ｔｉｍｅ  Ｉｎｔｅｒｖａｌ）の長さを取得するための取得モジュールと、
前記データの伝送に占用されるＴＴＩの長さに基づいてパイロットパターンを確定するための生成モジュールとを含むパイロットパターン動的確定装置。
【請求項１５】
前記パイロットパターンに基づいて信号を送信または受信するための送信または受信モジュールをさらに含む請求項１４に記載の装置。
【請求項１６】
前記データは、上りリンクサービス情報および／または上りリンク制御情報を含む上りリンクデータと、下りリンクサービス情報および／または下りリンク制御情報を含む下りリンクデータのうちの１つまたは複数を含む請求項１４に記載の装置。
【請求項１７】
前記生成モジュールは、さらに、前記ＴＴＩの長さがＡ（１以上の正整数）個のシンボルより大きい場合、前記ＴＴＩの一部のシンボルに、パイロットを含むと確定し、または、パイロットを含まないと確定することに用いられる請求項１４に記載の装置。
【請求項１８】
前記生成モジュールは、さらに、予め設定されたルールにしたがって、前記ＴＴＩの一部のシンボルに、パイロットを含むと確定し、またはパイロットを含まないと確定し、および／または、受信したシグナリング通知にしたがって、前記ＴＴＩの一部のシンボルに、パイロットを含むと確定し、またはパイロットを含まないと確定することに用いられる請求項１７に記載の装置。
【請求項１９】
前記生成モジュールは、さらに、前記予め設定されたルールおよび／またはシグナリング通知に基づいて、前記ＴＴＩに含まれるシンボルのうち、Ｋ（Ｋ≦Ｍ（Ｍ：前記ＴＴＩに含まれるシンボルの個数））個のシンボルにパイロットを含み、残りのシンボルにパイロットを含まないと確定することに用いられる請求項１８に記載の装置。
【請求項２０】
パイロットを含む前記Ｋ個のシンボルは、前記ＴＴＩに含まれるシンボルのうち等間隔で分布するＫ個のシンボルであり、または、前記ＴＴＩに含まれるシンボルのうち中心対称に分布するＫ個のシンボルである請求項１９に記載の装置。
【請求項２１】
前記Ｋは、
【数８】
2019506082.tif 000052
（Ｐ：予め設定または配置される２以上の正整数；Ｒ：予め設定または配置される０より大きくかつ１より小さい小数値またはパーセンテージ）である請求項１９に記載の装置。
【請求項２２】
前記生成モジュールは、さらに、前記予め設定されるルールおよび／またはシグナリング通知に基づいて、パイロットを含むシンボルの、前記ＴＴＩに含まれるシンボルでの位置を確定することに用いられる請求項１８に記載の装置。
【請求項２３】
Ｋ＝１の場合、パイロットを含むシンボルは、前記ＴＴＩに含まれるシンボルのうち最初のシンボル、または最後のシンボル、または中心シンボル、または、
【数９】
2019506082.tif 000053
であり、
および／または、
Ｋ＝２の場合、パイロットを含むシンボルは、前記ＴＴＩに含まれるシンボルのうち最初のシンボルと最後のシンボルであり、または前記ＴＴＩに含まれるシンボルのうち中心対称の２つのシンボルである請求項２２に記載の装置。
【請求項２４】
パイロットを含むシンボルは、前記ＴＴＩに含まれるシンボルのうち
【数１０】
2019506082.tif 000054
である請求項２２に記載の装置。
【請求項２５】
前記Ｋが奇数であり、前記Ｍが奇数である場合、パイロットを含むシンボルは、前記ＴＴＩに含まれるシンボルのうち
【数１１】
2019506082.tif 000055
であり、
および／または、
前記Ｋが偶数であり、前記Ｍが偶数である場合、前記パイロットを含むシンボルは、前記ＴＴＩに含まれるシンボルのうち
【数１２】
2019506082.tif 000056
であり、
および／または、
前記Ｋが偶数であり、前記Ｍが奇数である場合、前記パイロットを含むシンボルは、前記ＴＴＩに含まれるシンボルのうち
【数１３】
2019506082.tif 000057
である請求項２２に記載の装置。
【請求項２６】
前記Ｋが偶数である場合、前記パイロットを含むシンボルは、前記ＴＴＩに含まれるシンボルのうち
【数１４】
2019506082.tif 000058
である請求項２２に記載の装置。
【請求項２７】
プロセッサと、
バスインタフェースを介して前記プロセッサに接続され、前記プロセッサの操作実行に使用されるコンピュータコマンドを記憶するためのメモリと、
バスインタフェースを介して前記プロセッサと前記メモリに接続され、前記プロセッサによる制御でデータを送受信するためのトランシーバとを含むパイロットパターン動的確定機器であって、
前記コンピュータコマンドは、前記プロセッサによって実行されて、請求項１〜１３のいずれか一項に記載の方法を実現させるパイロットパターン動的確定機器。
【発明の詳細な説明】
【技術分野】
【０００１】
本願は、２０１６年２月３日に中国特許庁に提出された中国特許出願２０１６１００７６８３２．０の優先権を主張し、その全ての内容が援用によりここに取り込まれる。
【０００２】
本開示は、通信技術分野に係り、特にパイロットパターン動的確定方法および装置に係る。
【背景技術】
【０００３】
関連するＬＴＥ（Ｌｏｎｇ  Ｔｅｒｍ  Ｅｖｏｌｕｔｉｏｎ）ＦＤＤ（Ｆｒｅｑｕｅｎｃｙ  Ｄｉｖｉｓｉｏｎ  Ｄｕｐｌｅｘ）システムにおいて、フレーム構成タイプ１（ＦＳ１：ｆｒａｍｅ  ｓｔｒｕｃｔｕｒｅ  ｔｙｐｅ  １）が使用される。ＦＤＤシステムの上りリンク伝送と下りリンク伝送において、搬送波周波数が異なるものの、同一のフレーム構成が使用される。各搬送波において、長さ１０ｍｓの１つの無線フレームに１０個の長さ１ｍｓのサブフレームが含まれ、各サブフレームが２つの長さ０．５ｍｓのタイムスロットに分けられる。上りリンクデータ送信と下りリンクデータ送信のＴＴＩ（Ｔｒａｎｓｍｉｓｓｉｏｎ  Ｔｉｍｅ  Ｉｎｔｅｒｖａｌ）の長さは、１ｍｓである。
【０００４】
ＬＴＥシステムにおいて、関連するチャネル伝送は、いずれも１ｍｓのＴＴＩで定義されており、すなわち１つのＴＴＩが１つのサブフレームであり、長さが１ｍｓである。移動通信技術がますます進化することにつれて、将来の移動通信システムにおいて、さらに短いＴＴＩを用いてさらに小さいユーザプレーン遅延時間を達成することによって、伝送効率とユーザ体験を向上させることができる。ＴＴＩの長さは、０．５ｍｓより小さくてもよく、複数もしくは１つのシンボルレベルまでに達する。動的に変化する上り／下りリンクサービス量のリクエストにさらに好適に適応してスペクトルリソース利用率を高めるために、データ伝送に占用されるＴＴＩは、動的に変化してもよい。ＴＴＩに変化が生じると、リソース利用率向上のために、対応的にパイロット密度も変化が生じるべきである。しかしながら、現在、関連する解決案がまだ提案されていない。
【発明の概要】
【発明が解決しようとする課題】
【０００５】
上述した技術問題に鑑みて、本開示は、ＴＴＩの長さに基づいてパイロットパターンを動的に確定することによって、伝送性能を満足する上にパイロットコストを減少し、システムリソース利用率を高めることのできるパイロットパターン動的確定方法および装置を提供する。
【課題を解決するための手段】
【０００６】
本開示は、第１態様として、パイロットパターン動的確定方法を提供する。当該方法は、データの伝送に占用されるＴＴＩ（Ｔｒａｎｓｍｉｓｓｉｏｎ  Ｔｉｍｅ  Ｉｎｔｅｒｖａｌ）の長さを取得することと、前記データの伝送に占用されるＴＴＩの長さに基づいてパイロットパターンを確定することとを含む。
【０００７】
選択可能に、前記方法は、前記パイロットパターンに基づいて信号を送信すること、または、前記パイロットパターンに基づいて信号を受信することをさらに含む。
【０００８】
選択可能に、前記データは、上りリンクサービス情報および／または上りリンク制御情報を含む上りリンクデータと、下りリンクサービス情報および／または下りリンク制御情報を含む下りリンクデータのうちの１つまたは複数を含む。
【０００９】
選択可能に、前記データの伝送に占用されるＴＴＩの長さに基づいてパイロットパターンを確定することは、前記ＴＴＩの長さがＡ（１以上の正整数）個のシンボルより大きい場合、前記ＴＴＩの一部のシンボルに、パイロットを含むと確定し、または、パイロットを含まないと確定することを含む。
【００１０】
選択可能に、前記の前記ＴＴＩの一部のシンボルに、パイロットを含むと確定し、またはパイロットを含まないと確定することは、予め設定されたルールにしたがって、前記ＴＴＩの一部のシンボルに、パイロットを含むと確定し、またはパイロットを含まないと確定し、および／または、受信したシグナリング通知にしたがって、前記ＴＴＩの一部のシンボルに、パイロットを含むと確定し、またはパイロットを含まないと確定することを含む。
【００１１】
選択可能に、前記予め設定されたルールおよび／またはシグナリング通知に基づいて、前記ＴＴＩに含まれるシンボルのうち、Ｋ（Ｋ≦Ｍ（Ｍ：前記ＴＴＩに含まれるシンボルの個数））個のシンボルにパイロットを含み、残りのシンボルにパイロットを含まないと確定する。
【００１２】
選択可能に、パイロットを含む前記Ｋ個のシンボルは、前記ＴＴＩに含まれるシンボルのうち等間隔で分布するＫ個のシンボルであり、または、前記ＴＴＩに含まれるシンボルのうち中心対称に分布するＫ個のシンボルである。
【００１３】
選択可能に、前記
【数１】
2019506082.tif 000003
（Ｐ：予め設定または配置される２以上の正整数；Ｒ：予め設定または配置される０より大きくかつ１より小さい小数値またはパーセンテージ）。
【００１４】
選択可能に、前記予め設定されるルールおよび／またはシグナリング通知に基づいて、パイロットを含むシンボルの、前記ＴＴＩに含まれるシンボルでの位置を確定する。
【００１５】
選択可能に、Ｋ＝１の場合、パイロットを含むシンボルは、前記ＴＴＩに含まれるシンボルのうち最初のシンボル、または最後のシンボル、または中心シンボル、または、
【数２】
2019506082.tif 000004
であり、および／または、Ｋ＝２の場合、パイロットを含むシンボルは、前記ＴＴＩに含まれるシンボルのうち最初のシンボルと最後のシンボルであり、または前記ＴＴＩに含まれるシンボルのうち中心対称の２つのシンボルである。
【００１６】
選択可能に、パイロットを含むシンボルは、前記ＴＴＩに含まれるシンボルのうち
【数３】
2019506082.tif 000005
である。
【００１７】
選択可能に、前記Ｋが奇数であり、前記Ｍが奇数である場合、パイロットを含むシンボルは、前記ＴＴＩに含まれるシンボルのうち
【数４】
2019506082.tif 000006
であり、および／または、前記Ｋが偶数であり、前記Ｍが偶数である場合、前記パイロットを含むシンボルは、前記ＴＴＩに含まれるシンボルのうち
【数５】
2019506082.tif 000007
であり、および／または、前記Ｋが偶数であり、前記Ｍが奇数である場合、前記パイロットを含むシンボルは、前記ＴＴＩに含まれるシンボルのうち
【数６】
2019506082.tif 000008
である。
【００１８】
選択可能に、前記Ｋが偶数である場合、前記パイロットを含むシンボルは、前記ＴＴＩに含まれるシンボルのうち
【数７】
2019506082.tif 000009
である。
【００１９】
本開示は、別の方面として、パイロットパターン動的確定装置を提供する。当該装置は、データの伝送に占用されるＴＴＩ（Ｔｒａｎｓｍｉｓｓｉｏｎ  Ｔｉｍｅ  Ｉｎｔｅｒｖａｌ）の長さを取得するための取得モジュールと、前記データの伝送に占用されるＴＴＩの長さに基づいてパイロットパターンを確定するための生成モジュールとを含む。
【００２０】
選択可能に、前記装置は、前記パイロットパターンに基づいて信号を送信または受信するための送信または受信モジュールをさらに含む。
【００２１】
選択可能に、前記データは、上りリンクサービス情報および／または上りリンク制御情報を含む上りリンクデータと、下りリンクサービス情報および／または下りリンク制御情報を含む下りリンクデータのうちの１つまたは複数を含む。
【００２２】
選択可能に、前記生成モジュールは、さらに、前記ＴＴＩの長さがＡ（１以上の正整数）個のシンボルより大きい場合、前記ＴＴＩの一部のシンボルに、パイロットを含むと確定し、または、パイロットを含まないと確定することに用いられる。
【００２３】
選択可能に、前記生成モジュールは、さらに、予め設定されたルールにしたがって、前記ＴＴＩの一部のシンボルに、パイロットを含むと確定し、またはパイロットを含まないと確定し、および／または、受信したシグナリング通知にしたがって、前記ＴＴＩの一部のシンボルに、パイロットを含むと確定し、またはパイロットを含まないと確定することに用いられる。
【００２４】
選択可能に、前記生成モジュールは、さらに、前記予め設定されたルールおよび／またはシグナリング通知に基づいて、前記ＴＴＩに含まれるシンボルのうち、Ｋ（Ｋ≦Ｍ（Ｍ：前記ＴＴＩに含まれるシンボルの個数））個のシンボルにパイロットを含み、残りのシンボルにパイロットを含まないと確定することに用いられる。
【００２５】
選択可能に、パイロットを含む前記Ｋ個のシンボルは、前記ＴＴＩに含まれるシンボルのうち等間隔で分布するＫ個のシンボルであり、または、前記ＴＴＩに含まれるシンボルのうち中心対称に分布するＫ個のシンボルである。
【００２６】
選択可能に、前記
【数８】
2019506082.tif 000010
（Ｐ：予め設定または配置される２以上の正整数；Ｒ：予め設定または配置される０より大きくかつ１より小さい小数値またはパーセンテージ）。
【００２７】
選択可能に、前記生成モジュールは、さらに、前記予め設定されるルールおよび／またはシグナリング通知に基づいて、パイロットを含むシンボルの、前記ＴＴＩに含まれるシンボルでの位置を確定することに用いられる。
【００２８】
選択可能に、Ｋ＝１の場合、パイロットを含むシンボルは、前記ＴＴＩに含まれるシンボルのうち最初のシンボル、または最後のシンボル、または中心シンボル、または、
【数９】
2019506082.tif 000011
であり、および／または、Ｋ＝２の場合、パイロットを含むシンボルは、前記ＴＴＩに含まれるシンボルのうち最初のシンボルと最後のシンボルであり、または前記ＴＴＩに含まれるシンボルのうち中心対称の２つのシンボルである。
【００２９】
選択可能に、パイロットを含むシンボルは、前記ＴＴＩに含まれるシンボルのうち
【数１０】
2019506082.tif 000012
である。
【００３０】
選択可能に、前記Ｋが奇数であり、前記Ｍが奇数である場合、パイロットを含むシンボルは、前記ＴＴＩに含まれるシンボルのうち
【数１１】
2019506082.tif 000013
であり、および／または、前記Ｋが偶数であり、前記Ｍが偶数である場合、前記パイロットを含むシンボルは、前記ＴＴＩに含まれるシンボルのうち
【数１２】
2019506082.tif 000014
であり、および／または、前記Ｋが偶数であり、前記Ｍが奇数である場合、前記パイロットを含むシンボルは、前記ＴＴＩに含まれるシンボルのうち
【数１３】
2019506082.tif 000015
である。
【００３１】
選択可能に、前記Ｋが偶数である場合、前記パイロットを含むシンボルは、前記ＴＴＩに含まれるシンボルのうち
【数１４】
2019506082.tif 000016
である。
【００３２】
本開示は、さらに別の方面として、プロセッサと、バスインタフェースを介して前記プロセッサに接続され、前記プロセッサの操作実行に使用されるコンピュータコマンドを記憶するためのメモリと、バスインタフェースを介して前記プロセッサと前記メモリに接続され、前記プロセッサによる制御でデータを送受信するためのトランシーバとを含むパイロットパターン動的確定機器を提供する。前記コンピュータコマンドは、前記プロセッサによって実行されて、上記方法を実現させる。
【発明の効果】
【００３３】
スケジューリング情報に基づいてパイロットパターンを動的に確定し、データ伝送のＴＴＩの長さが可変である場合にＴＴＩの長さに基づいてパイロットパターンを動的に確定することによって、伝送性能を満足する上にパイロットコストを減少し、特にＴＴＩに多くのシンボルが含まれる場合、時間領域でパイロット密度を減少してリソース利用率を高めることができる。
【図面の簡単な説明】
【００３４】
【図１】関連するＬＴＥ−ＦＤＤシステムに使用されるＦＳ１を示す。
【図２】関連するＬＴＥ−ＦＤＤシステムに使用されるＦＳ２を示す。
【図３】関連するＦＤＤシステムのＵプレーン遅延時間の構成図である。
【図４Ａ】関連するＴＤＤシステムの下りリンクＵプレーン遅延時間構成図である。
【図４Ｂ】関連するＴＤＤシステムの上りリンクＵプレーン遅延時間構成図である。
【図５】本開示の一部の実施例におけるパイロットパターン動的確定方法のフローチャートである。
【図６】本開示の一部の実施例におけるパイロットパターン動的確定方法のフローチャートである。
【図７】本開示の一部の実施例において最初のシンボルと最後のシンボルにパイロットを含み、残りのシンボルにパイロットを含まないパイロットパターンを示す。
【図８】本開示の一部の実施例において第２のシンボルと後ろから第２のシンボルにパイロットを含み、残りのシンボルにパイロットを含まないパイロットパターンを示す。
【図９】本開示の一部の実施例において第１、第３、第５のシンボルにパイロットを含み、残りのシンボルにパイロットを含まないパイロットパターンを示す。
【図１０】本開示の一部の実施例においてパイロット密度圧縮が行わないパイロットパターンを示す。
【図１１】本開示の一部の実施例におけるパイロットパターン動的確定装置の構造図である。
【図１２】本開示の一部の実施例におけるパイロットパターン動的確定機器の構造図である。
【発明を実施するための形態】
【００３５】
以下、図面を参照して本開示の例示的な実施例をさらに詳細に記載する。図面には本開示の例示的な実施例が示されているものの、本開示の実施例が様々な形式で実現されうるため、本開示は、ここに記載した実施例に限定されないと理解されたい。かえって、これらの実施例を提供することは、本開示をより徹底的に理解してもらい、本開示の範囲を完全に当業者に伝えるためである。
【００３６】
関連するＬＴＥ（Ｌｏｎｇ  Ｔｅｒｍ  Ｅｖｏｌｕｔｉｏｎ）  ＦＤＤ（Ｆｒｅｑｕｅｎｃｙ  Ｄｉｖｉｓｉｏｎ  Ｄｕｐｌｅｘ）システムに使用されるフレーム構成タイプ１（ＦＳ１：ｆｒａｍｅ  ｓｔｒｕｃｔｕｒｅ  ｔｙｐｅ  １）の構造は、図１に示されている。ＦＤＤシステムの上りリンク伝送と下りリンク伝送において、搬送波周波数が異なるものの、同一のフレーム構成が使用される。各搬送波において、長さ１０ｍｓの１つの無線フレームに１０個の長さ１ｍｓのサブフレームが含まれ、各サブフレームが２つの長さ０．５ｍｓのタイムスロットに分けられる。上りリンクデータ送信と下りリンクデータ送信のＴＴＩ（Ｔｒａｎｓｍｉｓｓｉｏｎ  Ｔｉｍｅ  Ｉｎｔｅｒｖａｌ）の長さは、１ｍｓである。
【００３７】
関連するＬＴＥ−ＴＤＤシステムに使用されるフレーム構成タイプ２（ＦＳ２：ｆｒａｍｅ  ｓｔｒｕｃｔｕｒｅ  ｔｙｐｅ  ２）は、図２に示されている。ＴＤＤシステムの上りリンク伝送と下りリンク伝送において、同一周波数の異なるサブフレームまたは異なるタイムスロットが使用される。ＦＳ２において、各１０ｍｓの無線フレームは、２つの５ｍｓのハーフフレームから構成され、各ハーフフレームに５個の長さ１ｍｓのサブフレームが含まれる。ＦＳ２のサブフレームは、下りリンクサブフレーム、上りリンクサブフレームおよびスペシャルサブフレームの３種類に分けられる。各スペシャルサブフレームは、下りリンクパイロット、下りリンクサービスデータおよび下りリンク制御シグナリングの伝送が可能であるＤｗＰＴＳ（Ｄｏｗｎｌｉｎｋ  Ｐｉｌｏｔ  Ｔｉｍｅ  Ｓｌｏｔ）と、信号伝送が行われないＧＰ（Ｇｕａｒｄ  Ｐｅｒｉｏｄ）と、ランダムアクセスとＳＲＳ（Ｓｏｕｎｄｉｎｇ  Ｒｅｆｅｒｅｎｃｅ  Ｓｙｍｂｏｌ）のみが伝送され、上りリンクサービスデータまたは上りリンク制御シグナリングの伝送ができないＵｐＰＴＳ（Ｕｐｌｉｎｋ  Ｐｉｌｏｔ  Ｔｉｍｅ  Ｓｌｏｔ）の３部分から構成される。各ハーフフレームには、少なくとも１つの下りリンクサブフレーム、少なくとも１つの上りリンクサブフレームおよび最多で１つのスペシャルサブフレームを含む。ＦＳ２のサポート可能な７種類の上りリンク−下りリンク配置方式は、表１に示される。
【００３８】
【表１】
2019506082.tif 000017
【００３９】
３ＧＰＰ  ＴＲ３６．９１２の付録Ｂ．２の定義によると、ＬＴＥシステムのユーザプレーン（Ｕｓｅｒ  Ｐｌａｎｅ；Ｕプレーンと略称される。）遅延時間は、基地局処理時間と、サービスが到着するからエアインタフェースサブフレームによる伝送機会を得られるまでの待ち時間であるフレーム同期時間と、ＴＴＩ時間と、端末処理時間の４部分から構成される。
【００４０】
ＬＴＥ−ＦＤＤの下りリンク伝送を例とする。ＦＤＤシステムの各サブフレームにも下りリンク伝送機会があるため、フレーム同期時間は、平均で０．５ｍｓである。基地局処理時間は、下りリンク方向で１ｍｓであり、上りリンク方向で１．５ｍｓである。端末処理時間は、上りリンク方向で１ｍｓであり、下りリンク方向で１．５ｍｓである。したがって、ＨＡＲＱ（Ｈｙｂｒｉｄ  Ａｕｔｏｍａｔｉｃ  Ｒｅｐｅａｔ  ｒｅＱｕｅｓｔ）再送を考慮しない場合、ＬＴＥ−ＦＤＤの下りリンクＵプレーン遅延時間＝基地局処理時間（１ｍｓ）＋フレーム同期時間（０．５ｍｓ）＋ＴＴＩ時間（１ｍｓ）＋端末処理時間（１．５ｍｓ）＝４ｍｓ。類似的に、ＬＴＥ−ＦＤＤシステムにおいて、ＨＡＲＱ再送を考慮しない場合、上りリンクＵプレーン遅延時間も４ｍｓである。図３、図４Ａおよび図４Ｂを参照する。
【００４１】
ＬＴＥ−ＴＤＤシステムにおいて、基地局処理時間、端末処理時間およびＴＴＩの長さは、ＦＤＤのとは同一である。フレーム同期時間は、サービス到着時間およびシステムに使用される上り−下りリンク配置に関係する。上り−下りリンク配置＃５を例とする。基地局がサブフレーム＃１で送信側処理を完成した場合、送信は、早くてもサブフレーム＃３で行われる。そこで、送信からエアインタフェースサブフレームまでのフレーム同期時間は、平均で１．５ｍｓであり、残りのサブフレームのフレーム同期時間は、平均で０．５ｍｓである。したがって、下りリンクデータの平均同期処理時間は、（１．５＋８×０．５）／９＝０．６ｍｓである。ＨＡＲＱを考慮しない場合、表２、表３には、各ＴＤＤの上りリンク−下りリンク配置に対応するＤＬ、ＵＬのＵプレーン遅延時間の平均値がそれぞれ示されている。
【００４２】
【表２】
2019506082.tif 000018
【００４３】
【表３】
2019506082.tif 000019
【００４４】
上記Ｕプレーン遅延時間の計算において、基地局処理時間、端末処理時間およびフレーム同期時間は、いずれもＴＴＩの長さに関係する。ＴＴＩを短くすれば、Ｕプレーンの合計遅延時間は、短縮される。関連するＬＴＥのフレーム構成を基に、ＴＴＩを０．５ｍｓまたはさらに小さく短縮することが考えられる。すなわち１つのＴＴＩの長さは、関連するＬＴＥのフレーム構成の１つのタイムスロットに含まれるシンボル数であり、例えば通常ＣＰの場合に７個のシンボルであり、拡張ＣＰの場合に６個のシンボルである。ＴＴＩの長さをさらに１つのタイムスロットより小さく、例えば複数もしくは１つのシンボルに短縮することが考えられる。
【００４５】
図５は、本開示のパイロットパターン動的確定方法のフローチャートを示す。図５に示されているように、当該方法の実行主体は、基地局であってもよく端末であってもよい。当該方法は、ステップ５０１とステップ５０３を含む。
【００４６】
ステップ５０１において、データの伝送に占用されるＴＴＩの長さを取得する。
【００４７】
本実施例において、データは、上りリンクサービス情報および／または上りリンク制御情報を含む上りリンクデータと、下りリンクサービス情報および／または下りリンク制御情報を含む下りリンクデータのうちの１つまたは複数を含む。
【００４８】
ステップ５０３において、データの伝送に占用されるＴＴＩの長さに基づいてパイロットパターンを確定する。
【００４９】
移動通信技術がますます進化することにつれて、将来の移動通信システムにおいて、さらに短いＴＴＩを用いてさらに小さいユーザプレーン遅延時間を達成することによって、伝送効率とユーザ体験を向上させることができる。ＴＴＩの長さは、０．５ｍｓより小さくてもよく、複数もしくは１つのシンボルレベルまでに達する。動的に変化する上り／下りリンクサービス量のリクエストにさらに好適に適応してスペクトルリソース利用率を高めるために、データ伝送に占用されるＴＴＩは、動的に変化してもよい。ＴＴＩに変化が生じると、リソース利用率向上のために、対応的にパイロット密度も変化が生じる。
【００５０】
具体的に、ＴＴＩの長さがＡ（１以上の正整数）個のシンボルより大きい場合、ＴＴＩの一部のシンボルに、パイロットを含むと確定し、または、パイロットを含まないと確定する。
【００５１】
選択可能に、本実施例において、下記の方式１と方式２のいずれか１つまたは組み合わせを用いてＴＴＩの一部のシンボルに、パイロットを含むと確定し、または、パイロットを含まないと確定する。
【００５２】
方式１：受信したシグナリング通知にしたがって、ＴＴＩの一部のシンボルに、パイロットを含むと確定し、またはパイロットを含まないと確定する。すなわち方式１によって、パイロットを含むシンボルの個数、および／または、パイロットを含むシンボルの位置を確定することができる。ここでシグナリングは、ブロードキャスト、ハイレイヤシグナリングまたは下りリンク制御情報ＤＣＩ（Ｄｏｗｎｌｉｎｋ  Ｃｏｎｔｒｏｌ  Ｉｎｆｏｒｍａｔｉｏｎ）などである。さらに、ＴＴＩの長さに基づいてパイロットパターンを確定する前に、基地局側は、まずハイレイヤシグナリングを送信して、ＴＴＩの長さに基づくパイロットパターンの確定が端末にサポートされるかを予め配置してもよい。サポートされる場合、本実施例にしたがってパイロットパターンを確定する。サポートされない場合、ＴＴＩに含まれる各々のシンボルにパイロットが存在すると確定する。本開示の実施例において、ＴＴＩの長さに基づくパイロットパターン確定が端末にサポートされるかを他の方式によって配置してもよい。
【００５３】
方式２：予め設定されたルールにしたがって、ＴＴＩの一部のシンボルに、パイロットを含むと確定し、またはパイロットを含まないと確定する。すなわち方式２によって、パイロットを含むシンボルの個数、および／または、パイロットを含むシンボルの位置を確定することができる。
【００５４】
例えば、予め設定されたルールに基づいて、ＴＴＩに含まれるシンボルのうち、Ｋ（Ｋ≦Ｍ（Ｍ：ＴＴＩに含まれるシンボルの個数））個のシンボルにパイロットを含み、残りのシンボルにパイロットを含まないと確定する。
【００５５】
また例えば、予め設定されたルールに基づいて、パイロットを含むシンボルの、ＴＴＩに含まれるシンボルでの位置を確定する。選択可能に、ＴＴＩの最初のシンボルと最後のシンボルにパイロットが存在し、他のシンボルにパイロットがないと予め設定してもよく、もちろんこれに限定されない。
【００５６】
方式１と方式２を組み合わせる場合、一種の方式として、シグナリング通知にしたがって、ＴＴＩに含まれるシンボルのうち、パイロットを含むシンボルの個数Ｋを確定する。当該Ｋ個のシンボルの位置は、予め設定されるルールに基づいて確定される。別の方式として、予め設定されるルールにしたがって、ＴＴＩに含まれるシンボルのうち、パイロットを含むシンボルの個数Ｋを確定する。当該Ｋ個のシンボルの位置は、シグナリング通知に基づいて確定される。もちろん、上述した組み合わせ方式に限定されなくてもよい。
【００５７】
予め設定されるルールとシグナリング通知の内容として、ＴＴＩに含まれるシンボルのうち、Ｋ（Ｋ≦Ｍ（Ｍ：ＴＴＩに含まれるシンボルの個数））個のシンボルにパイロットを含み、残りのシンボルにパイロットを含まない。選択可能に、パイロットを含むＫ個のシンボルは、ＴＴＩに含まれるシンボルのうち等間隔で分布するＫ個のシンボルであり、または、ＴＴＩに含まれるシンボルのうち中心対称に分布するＫ個のシンボルである。ＴＴＩに含まれるシンボルの個数が奇数個である場合、中心シンボルを含んでもよい。
【００５８】
選択可能に、予めＫをｍｉｎ（ｍ，Ｍ）と設定する。ｍは、予め設定または配置されるＭ以下の値であり、例えば２、３、４などである。
【００５９】
選択可能に、以下の式によってＫの値を確定すると予め設定する。
【数１５】
2019506082.tif 000020
例えば、Ｐ＝２、またはＲ＝０．５。なお、本実施例において、Ｍ、Ｐ、Ｒの具体的な値について限定しない。
【００６０】
例えば、Ｋ＝１の場合、パイロットを含むシンボルは、ＴＴＩのうち最初のシンボル、または最後のシンボル、または中心シンボル、または、
【数１６】
2019506082.tif 000021
である。Ｋは、Ｍ以下の値であり、Ｍは、ＴＴＩに含まれるシンボルの個数である。
【００６１】
また例えば、Ｋ＝２の場合、パイロットを含むシンボルは、ＴＴＩのうち最初のシンボルと最後のシンボルであり、またはＴＴＩに含まれるシンボルのうち中心対称の２つのシンボルであり、例えば第ａ個と後ろから第ａ個のシンボルであり、ａが正整数でありかつＴＴＩに含まれるシンボルの個数より小さい。例えば、第２個と後ろから第２個のシンボルであり、または第３個と後ろから第３個のシンボルである。
【００６２】
本実施例において、選択可能に、パイロットを含むシンボルは、等間隔で分布する。具体的に、パイロットを含むシンボルは、ＴＴＩのうち
【数１７】
2019506082.tif 000022
である。ここで、ｉは、０以上かつＫ−１以下の整数、または、０以上かつ
【数１８】
2019506082.tif 000023
以下の整数である。本実施例において、選択可能に、パイロットを含むシンボルは、ＴＴＩに含まれるシンボルのうち中心対称のＫ個のシンボルである。例えば、Ｋが奇数であり、Ｍが奇数である場合、パイロットを含むシンボルは、第
【数１９】
2019506082.tif 000024
である。また例えば、Ｋが偶数であり、Ｍが偶数である場合、パイロットを含むシンボルは、ＴＴＩのうち
【数２０】
2019506082.tif 000025
である。また例えば、Ｋが偶数であり、Ｍが奇数である場合、パイロットを含むシンボルは、ＴＴＩのうち
【数２１】
2019506082.tif 000026
である。また例えば、Ｋが偶数であり、Ｍは、奇数であっても偶数であっても統合することができ、奇数である場合に相当する。すなわち、Ｋが偶数である場合、Ｍが奇数であっても偶数であっても、パイロットを含むシンボルは、ＴＴＩのうち
【数２２】
2019506082.tif 000027
である。
【００６３】
以上の実施例を基に、図６に示されているように、ステップＳ５０３の後に、当該方法は、さらに、パイロットパターンに基づいて信号を送信し、または、パイロットパターンに基づいて信号を受信するステップＳ５０５を含む。
【００６４】
例えば、基地局の具体的な行動は、上記方法に基づいてパイロットパターンを確定して信号を送信する。また例えば、端末の具体的な行動は、上記方法に基づいてパイロットパターンを確定して信号を受信する。よって、データ伝送のＴＴＩの長さに変化が生じると、ＴＴＩの長さに基づいてパイロットパターンを動的に確定することによって、伝送性能を満足する上にパイロットコストを減少し、システムリソース利用率を高めることができる。
【００６５】
以下、図７〜図１０を参照して本開示の実施例におけるパイロットパターン動的確定方法を詳細に記載する。例えば、ＵＥに送信される下りリンクデータは、下りリンク伝送時間帯にＭ＝５個のシンボル（すなわちＴＴＩの長さが５個のシンボルに等しい。）を占用すると、ＵＥは、所定のルールまたは受信したシグナリング通知に基づいて、一部のシンボルにパイロットを含むと確定し、または一部のシンボルにパイロットを含まないと確定する。
【００６６】
例えば、図７に示されているように、常に最初と最後のシンボルにパイロットを含み、他のシンボルにパイロットを含まないと確定する。
【００６７】
または、予めの設定または受信したシグナリング通知に基づいて、Ｋ＝２個のシンボルのみにパイロットを含むと確定し、当該２個のシンボルが中心対称である。たとえば、図７のように、最初と最後のシンボルを設定する。または、図８に示されているように、第２個のシンボルと後ろから第２個のシンボルを設定する。
【００６８】
または、
【数２３】
2019506082.tif 000028
を設定する。ここで、ｉ＝０、ａ＝１と予め定義する。すなわち、図７のように、最初と最後のシンボルと確定する。
【００６９】
また、予めの設定または配置にしたがって、Ｋ＝３個のシンボルのみにパイロットを含むと確定し、当該３個のシンボルが当該ＴＴＩで均一に分布するシンボルである。たとえば、図９に示されているように、
【数２４】
2019506082.tif 000029
に設定する。
【００７０】
また、予めの設定または配置にしたがって、Ｋ＝３個のシンボルのみにパイロットを含むと確定し、当該３個のシンボルが当該ＴＴＩのシンボルで中心対称に分布する。たとえば、図９に示されているように
【数２５】
2019506082.tif 000030
に設定する。
【００７１】
ＵＥによってパイロット密度の圧縮が行われない場合、ＴＴＩに含まれる各々のシンボルにパイロットを含むと確定し、図１０に示されているパイロットパターンが使用される。
【００７２】
上述した実施例において下りリンク伝送を例としたが、上りリンク伝送についても同様の方法を用いることができる。上りリンク伝送の各シンボル上のパイロット分布は、下りリンク伝送とは同一であってもよく異なってもよく、ここで繰り返して記載しない。具体的に各シンボル上のパイロット位置と密度は、上述した実施例とは異なってもよく、本開示の保護範囲内にある。上述した実施例は、ＴＤＤとＦＤＤに適用することができる。
【００７３】
図１１に示されているパイロットパターン動的確定装置１１０は、取得モジュール１１０１と、生成モジュール１１０３と、送信または受信モジュール１１０５を含む。
【００７４】
取得モジュール１１０１は、データの伝送に占用されるＴＴＩの長さを取得する。当該データは、上りリンクサービス情報および／または上りリンク制御情報を含む上りリンクデータと、下りリンクサービス情報および／または下りリンク制御情報を含む下りリンクデータのうちの１つまたは複数を含む。
【００７５】
生成モジュール１１０３は、データの伝送に占用されるＴＴＩの長さに基づいてパイロットパターンを確定する。
【００７６】
送信または受信モジュール１１０５は、パイロットパターンに基づいて信号を送信し、またはパイロットパターンに基づいて信号を受信する。
【００７７】
本実施例において、選択可能に、生成モジュール１１０３は、さらに、ＴＴＩの長さがＡ（１以上の正整数）個のシンボルより大きい場合、ＴＴＩの一部のシンボルに、パイロットを含むと確定し、または、パイロットを含まないと確定することに用いられる。
【００７８】
本実施例において、選択可能に、生成モジュール１１０３は、さらに、予め設定されたルールにしたがって、ＴＴＩの一部のシンボルに、パイロットを含むと確定し、またはパイロットを含まないと確定し、および／または、受信したシグナリング通知にしたがって、ＴＴＩの一部のシンボルに、パイロットを含むと確定し、またはパイロットを含まないと確定することに用いられる。
【００７９】
本実施例において、選択可能に、生成モジュール１１０３は、さらに、予め設定されたルールおよび／またはシグナリング通知に基づいて、ＴＴＩに含まれるシンボルのうち、Ｋ（Ｋ≦Ｍ（Ｍ：ＴＴＩに含まれるシンボルの個数））個のシンボルにパイロットを含み、残りのシンボルにパイロットを含まないと確定することに用いられる。パイロットを含むＫ個のシンボルは、ＴＴＩに含まれるシンボルのうち等間隔で分布するＫ個のシンボルであり、または、ＴＴＩに含まれるシンボルのうち中心対称に分布するＫ個のシンボルである。
【００８０】
例えば、
【数２６】
2019506082.tif 000031
【００８１】
選択可能に、生成モジュール１１０３は、さらに、予め設定されるルールおよび／またはシグナリング通知に基づいて、パイロットを含むシンボルの、ＴＴＩに含まれるシンボルでの位置を確定することに用いられる。
【００８２】
また例えば、Ｋ＝１の場合、パイロットを含むシンボルは、ＴＴＩに含まれるシンボルのうち最初のシンボル、または最後のシンボル、または中心シンボル、または、
【数２７】
2019506082.tif 000032
である。
【００８３】
また例えば、Ｋ＝２の場合、パイロットを含むシンボルは、ＴＴＩに含まれるシンボルのうち最初のシンボルと最後のシンボルであり、またはＴＴＩに含まれるシンボルのうち中心対称の２つのシンボルである。
【００８４】
選択可能に、パイロットを含むシンボルは、ＴＴＩに含まれるシンボルのうち
【数２８】
2019506082.tif 000033
である。
【００８５】
また例えば、Ｋが奇数でありかつＭが奇数である場合、パイロットを含むシンボルは、ＴＴＩに含まれるシンボルのうち
【数２９】
2019506082.tif 000034
である。
【００８６】
また例えば、Ｋが偶数でありかつＭが偶数である場合、パイロットを含むシンボルは、ＴＴＩに含まれるシンボルのうち
【数３０】
2019506082.tif 000035
である。
【００８７】
また例えば、Ｋが偶数でありかつＭが奇数である場合、パイロットを含むシンボルは、ＴＴＩに含まれるシンボルのうち
【数３１】
2019506082.tif 000036
である。
【００８８】
選択可能に、Ｋが偶数である場合、パイロットを含むシンボルは、ＴＴＩに含まれるシンボルのうち
【数３２】
2019506082.tif 000037
である。
【００８９】
図１２には、本発明の実施例のパイロットパターン動的確定機器１２０を示す。当該パイロットパターン動的確定機器１２０は、プロセッサ１２０１と、メモリ１２０２と、プロセッサ１２０１による制御でデータを送受信するためのトランシーバ１２０３とを含む。プロセッサ１２０１は、メモリ１２０２からプログラムを読み取って、データの伝送に占用されるＴＴＩの長さを取得するプロセスを実行する。当該データは、上りリンクサービス情報および／または上りリンク制御情報を含む上りリンクデータと、下りリンクサービス情報および／または下りリンク制御情報を含む下りリンクデータのうちの１つまたは複数を含む。
【００９０】
さらに、プロセッサ１２０１は、メモリ１２０２からプログラムを読み取って、データの伝送に占用されるＴＴＩの長さに基づいてパイロットパターンを確定するプロセスを実行する。
【００９１】
選択可能に、プロセッサ１２０１は、メモリ１２０２からプログラムを読み取ることによって、ＴＴＩの長さがＡ（１以上の正整数）個のシンボルより大きい場合、ＴＴＩの一部のシンボルに、パイロットを含むと確定し、または、パイロットを含まないと確定するプロセスを実行する。
【００９２】
選択可能に、プロセッサ１２０１は、メモリ１２０２からプログラムを読み取ることによって、予め設定されたルールにしたがって、ＴＴＩの一部のシンボルに、パイロットを含むと確定し、またはパイロットを含まないと確定し、および／または、受信したシグナリング通知にしたがって、ＴＴＩの一部のシンボルに、パイロットを含むと確定し、またはパイロットを含まないと確定するプロセスを実行する。
【００９３】
選択可能に、プロセッサ１２０１は、メモリ１２０２からプログラムを読み取ることによって、予め設定されたルールおよび／またはシグナリング通知に基づいて、ＴＴＩに含まれるシンボルのうち、Ｋ（Ｋ≦Ｍ（Ｍ：ＴＴＩに含まれるシンボルの個数））個のシンボルにパイロットを含み、残りのシンボルにパイロットを含まないと確定するプロセスを実行する。パイロットを含むＫ個のシンボルは、ＴＴＩに含まれるシンボルのうち等間隔で分布するＫ個のシンボルであり、または、ＴＴＩに含まれるシンボルのうち中心対称に分布するＫ個のシンボルである。例えば、
【数３３】
2019506082.tif 000038
【００９４】
選択可能に、プロセッサ１２０１は、メモリ１２０２からプログラムを読み取ることによって、予め設定されるルールおよび／またはシグナリング通知に基づいて、パイロットを含むシンボルの、ＴＴＩに含まれるシンボルでの位置を確定するプロセスを実行する。
【００９５】
また例えば、Ｋ＝１の場合、パイロットを含むシンボルは、ＴＴＩに含まれるシンボルのうち最初のシンボル、または最後のシンボル、または中心シンボル、または、
【数３４】
2019506082.tif 000039
である。
【００９６】
また例えば、Ｋ＝２の場合、パイロットを含むシンボルは、ＴＴＩに含まれるシンボルのうち最初のシンボルと最後のシンボルであり、またはＴＴＩに含まれるシンボルのうち中心対称の２つのシンボルである。
【００９７】
選択可能に、パイロットを含むシンボルは、ＴＴＩに含まれるシンボルのうち
【数３５】
2019506082.tif 000040
である。
【００９８】
また例えば、Ｋが奇数でありかつＭが奇数である場合、パイロットを含むシンボルは、ＴＴＩに含まれるシンボルのうち
【数３６】
2019506082.tif 000041
である。
【００９９】
また例えば、Ｋが偶数でありかつＭが偶数である場合、パイロットを含むシンボルは、ＴＴＩに含まれるシンボルのうち
【数３７】
2019506082.tif 000042
である。
【０１００】
また例えば、Ｋが偶数でありかつＭが奇数である場合、パイロットを含むシンボルは、ＴＴＩに含まれるシンボルのうち
【数３８】
2019506082.tif 000043
である。
【０１０１】
選択可能に、Ｋが偶数である場合、パイロットを含むシンボルは、ＴＴＩに含まれるシンボルのうち
【数３９】
2019506082.tif 000044
である。
【０１０２】
さらに、プロセッサ１２０１は、メモリ１２０２からプログラムを読み取ることによって、パイロットパターンに基づいて信号を送信し、または、パイロットパターンに基づいて信号を受信するプロセスを実行する。
【０１０３】
選択可能に、プロセッサ１２０１は、ＣＰＵ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【０１０４】
図１２において、バスアーキテクチャは、任意数の相互接続するバスとブリッジを含み、具体的に、プロセッサ１２０１をはじめとする１つ又は複数のプロセッサとメモリ１２０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー１２０３は、複数の部品であってもよく、即ち送信機と受信機を含み、伝送媒体でほかの各種類の装置と通信するユニットとして提供される。プロセッサ１２０１は、バスアーキテクチャと通常の処理を管理する。メモリ１２０２は、プロセッサ１２０１による操作実行に使用されるデータを記憶できる。
【０１０５】
本願で提供される実施例において、開示された方法および装置は、他の方式で実施され得ることを理解されたい。例えば、以上に記載された装置の実施例は、単なる例示である。例えば、以上に記載したユニットの区分は、単に論理機能の区分であり、実際に実現する際に別の区分方式がある。例えば、複数のユニットまたはコンポーネントは、組み合わせてもよく、別のシステムに一体化されてもよい。または、一部の特徴は、無視されてもよく、または実行されなくてもよい。また、示されておりまたは議論されている相互間の結合や直接結合や通信接続は、インタフェース、装置またはユニットを介した間接結合や通信接続であってもよく、電気的、機械的、または他の形式であってもよい。
【０１０６】
また、本開示の各実施例における各機能的ユニットは、１つの処理ユニットに一体化されていてもよいし、別々に設けられていてもよいし、２つ以上のユニットが１つのユニットに一体化されてもよい。上述した一体化ユニットは、ハードウェアの形態、またはハードウェアとソフトウェア機能ユニットの形態で実施することができる。
【０１０７】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本発明の各実施例に記載された送受信方法のステップの一部をコンピュータ装置（パーソナルコンピュータ、サーバ、又はネットワーク装置であってもよい）に実行させるいくつかのコマンドを含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１０８】
以上記載したのは、本開示の選択可能な実施形態である。当業者にとって、本開示に記載された原理を逸脱することなくいくつかの改良や修飾を行うことができる。これらの改良や修飾も、本開示の保護範囲内にある。
【図１】
2019506082.tif 000059
【図２】
2019506082.tif 000060
【図３】
2019506082.tif 000061
【図４Ａ】
2019506082.tif 000062
【図４Ｂ】
2019506082.tif 000063
【図５】
2019506082.tif 000064
【図６】
2019506082.tif 000065
【図７】
2019506082.tif 000066
【図８】
2019506082.tif 000067
【図９】
2019506082.tif 000068
【図１０】
2019506082.tif 000069
【図１１】
2019506082.tif 000070
【図１２】
2019506082.tif 000071
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
パイロットパターン動的確定方法において、
データの伝送に占用されるＴＴＩ（Ｔｒａｎｓｍｉｓｓｉｏｎ  Ｔｉｍｅ  Ｉｎｔｅｒｖａｌ）の長さを取得することと、
前記データの伝送に占用されるＴＴＩの長さに基づいてパイロットパターンを確定することとを含むことを特徴とするパイロットパターン動的確定方法。
【請求項２】
前記データは、上りリンクサービス情報および／または上りリンク制御情報を含む上りリンクデータと、下りリンクサービス情報および／または下りリンク制御情報を含む下りリンクデータのうちの１つまたは複数を含むことを特徴とする請求項１に記載の方法。
【請求項３】
前記データの伝送に占用されるＴＴＩの長さに基づいてパイロットパターンを確定することは、
前記ＴＴＩの長さがＡ（１以上の正整数）個のシンボルより大きい場合、前記ＴＴＩの一部のシンボルに、パイロットを含むと確定し、または、パイロットを含まないと確定することを含むことを特徴とする請求項１に記載の方法。
【請求項４】
前記の前記ＴＴＩの一部のシンボルに、パイロットを含むと確定し、またはパイロットを含まないと確定することは、
予め設定されたルールにしたがって、前記ＴＴＩの一部のシンボルに、パイロットを含むと確定し、またはパイロットを含まないと確定し、
および／または、
受信したシグナリング通知にしたがって、前記ＴＴＩの一部のシンボルに、パイロットを含むと確定し、またはパイロットを含まないと確定することを含むことを特徴とする請求項３に記載の方法。
【請求項５】
前記予め設定されたルールおよび／またはシグナリング通知に基づいて、前記ＴＴＩに含まれるシンボルのうち、Ｋ（Ｋ≦Ｍ（Ｍ：前記ＴＴＩに含まれるシンボルの個数））個のシンボルにパイロットを含み、残りのシンボルにパイロットを含まないと確定することを含むことを特徴とする請求項４に記載の方法。
【請求項６】
パイロットを含む前記Ｋ個のシンボルは、前記ＴＴＩに含まれるシンボルのうち等間隔で分布するＫ個のシンボルであり、または、前記ＴＴＩに含まれるシンボルのうち中心対称に分布するＫ個のシンボルであり、
および／または、
前記Ｋは、
【数１】
2019506082.tif 000072
（Ｐ：予め設定または配置される２以上の正整数；Ｒ：予め設定または配置される０より大きくかつ１より小さい小数値またはパーセンテージ）であることを特徴とする請求項５に記載の方法。
【請求項７】
さらに、前記予め設定されるルールおよび／またはシグナリング通知に基づいて、パイロットを含むシンボルの、前記ＴＴＩに含まれるシンボルでの位置を確定することを特徴とする請求項４に記載の方法。
【請求項８】
Ｋ＝１の場合、パイロットを含むシンボルは、前記ＴＴＩに含まれるシンボルのうち最初のシンボル、または最後のシンボル、または中心シンボル、または、
【数２】
2019506082.tif 000073
であり、
および／または、
Ｋ＝２の場合、パイロットを含むシンボルは、前記ＴＴＩに含まれるシンボルのうち最初のシンボルと最後のシンボルであり、または前記ＴＴＩに含まれるシンボルのうち中心対称の２つのシンボルであり、
および／または、
パイロットを含むシンボルは、前記ＴＴＩに含まれるシンボルのうち
【数３】
2019506082.tif 000074
であり、
および／または、
前記Ｋが奇数であり、前記Ｍが奇数である場合、パイロットを含むシンボルは、前記ＴＴＩに含まれるシンボルのうち
【数４】
2019506082.tif 000075
であり、
および／または、
前記Ｋが偶数であり、前記Ｍが偶数である場合、前記パイロットを含むシンボルは、前記ＴＴＩに含まれるシンボルのうち
【数５】
2019506082.tif 000076
であり、
および／または、
前記Ｋが偶数であり、前記Ｍが奇数である場合、前記パイロットを含むシンボルは、前記ＴＴＩに含まれるシンボルのうち
【数６】
2019506082.tif 000077
であり、
および／または、
前記Ｋが偶数である場合、前記パイロットを含むシンボルは、前記ＴＴＩに含まれるシンボルのうち
【数７】
2019506082.tif 000078
であることを特徴とする請求項７に記載の方法。
【請求項９】
パイロットパターン動的確定装置において、
データの伝送に占用されるＴＴＩ（Ｔｒａｎｓｍｉｓｓｉｏｎ  Ｔｉｍｅ  Ｉｎｔｅｒｖａｌ）の長さを取得するための取得モジュールと、
前記データの伝送に占用されるＴＴＩの長さに基づいてパイロットパターンを確定するための生成モジュールとを含むことを特徴とするパイロットパターン動的確定装置。
【請求項１０】
前記データは、上りリンクサービス情報および／または上りリンク制御情報を含む上りリンクデータと、下りリンクサービス情報および／または下りリンク制御情報を含む下りリンクデータのうちの１つまたは複数を含むことを特徴とする請求項９に記載の装置。
【請求項１１】
前記生成モジュールは、さらに、前記ＴＴＩの長さがＡ（１以上の正整数）個のシンボルより大きい場合、前記ＴＴＩの一部のシンボルに、パイロットを含むと確定し、または、パイロットを含まないと確定することに用いられることを特徴とする請求項９に記載の装置。
【請求項１２】
前記生成モジュールは、さらに、予め設定されたルールにしたがって、前記ＴＴＩの一部のシンボルに、パイロットを含むと確定し、またはパイロットを含まないと確定し、および／または、受信したシグナリング通知にしたがって、前記ＴＴＩの一部のシンボルに、パイロットを含むと確定し、またはパイロットを含まないと確定することに用いられることを特徴とする請求項１１に記載の装置。
【請求項１３】
前記生成モジュールは、さらに、前記予め設定されたルールおよび／またはシグナリング通知に基づいて、前記ＴＴＩに含まれるシンボルのうち、Ｋ（Ｋ≦Ｍ（Ｍ：前記ＴＴＩに含まれるシンボルの個数））個のシンボルにパイロットを含み、残りのシンボルにパイロットを含まないと確定することに用いられ、
および／または、
前記生成モジュールは、さらに、前記予め設定されるルールおよび／またはシグナリング通知に基づいて、パイロットを含むシンボルの、前記ＴＴＩに含まれるシンボルでの位置を確定することに用いられることを特徴とする請求項１２に記載の装置。
【請求項１４】
パイロットを含む前記Ｋ個のシンボルは、前記ＴＴＩに含まれるシンボルのうち等間隔で分布するＫ個のシンボルであり、または、前記ＴＴＩに含まれるシンボルのうち中心対称に分布するＫ個のシンボルであり、
および／または、
前記Ｋは、
【数８】
2019506082.tif 000079
（Ｐ：予め設定または配置される２以上の正整数；Ｒ：予め設定または配置される０より大きくかつ１より小さい小数値またはパーセンテージ）であることを特徴とする請求項１３に記載の装置。
【請求項１５】
Ｋ＝１の場合、パイロットを含むシンボルは、前記ＴＴＩに含まれるシンボルのうち最初のシンボル、または最後のシンボル、または中心シンボル、または、
【数９】
2019506082.tif 000080
であり、
および／または、
Ｋ＝２の場合、パイロットを含むシンボルは、前記ＴＴＩに含まれるシンボルのうち最初のシンボルと最後のシンボルであり、または前記ＴＴＩに含まれるシンボルのうち中心対称の２つのシンボルであり、
パイロットを含むシンボルは、前記ＴＴＩに含まれるシンボルのうち
【数１０】
2019506082.tif 000081
であり、
および／または、
前記Ｋが奇数であり、前記Ｍが奇数である場合、パイロットを含むシンボルは、前記ＴＴＩに含まれるシンボルのうち
【数１１】
2019506082.tif 000082
であり、
および／または、
前記Ｋが偶数であり、前記Ｍが偶数である場合、前記パイロットを含むシンボルは、前記ＴＴＩに含まれるシンボルのうち
【数１２】
2019506082.tif 000083
であり、
および／または、
前記Ｋが偶数であり、前記Ｍが奇数である場合、前記パイロットを含むシンボルは、前記ＴＴＩに含まれるシンボルのうち
【数１３】
2019506082.tif 000084
であり、
および／または、
前記Ｋが偶数である場合、前記パイロットを含むシンボルは、前記ＴＴＩに含まれるシンボルのうち
【数１４】
2019506082.tif 000085
であることを特徴とする請求項１３に記載の装置。
【国際調査報告】
2019506082.tif 000086
2019506082.tif 000087
2019506082.tif 000088
2019506082.tif 000089